(57)【特許請求の範囲】
【請求項１】
障子かまちに対向する窓枠に着脱可能に配置される網戸収納部と、前記網戸収納部と前記障子かまち間に配置される移動かまちと、前記網戸収納部に収納され、且つ、前記移動かまちに先端側が取付けられた網目部材と、前記網目部材が開幕される場合に、その上下端と窓枠の上下枠間の前記網戸収納部の着脱に必要な隙間を塞ぐことができる虫除け材を備え、
前記虫除け材は、その先端が前記網目部材の上下端と突合せつつ、略鉛直線上に配置されていると共に、
前記網目部材の上下端と前記虫除け材の隙間は、虫の侵入が困難な幅であることを特徴とする網戸装置。
【請求項２】
前記網目部材の上下端は、窓枠の上下レールと窓枠の気密材取付ヒレ間に位置されることを特徴とする請求項１に記載の網戸装置。
【請求項３】
開閉幕される前記網目部材の上下端は、室外側からの強い風圧に対して、気密材取付ヒレの室外側側面に接する一方、室内側からの風圧に対して、網目部材の上下端が前記上下レールに接することを特徴とする請求項２に記載の網戸装置
【請求項４】
前記移動かまちは、前記障子かまちの移動に追随可能であることを特徴とする請求項１乃至３の何れかに記載の網戸装置。
【発明の詳細な説明】
【技術分野】
【０００１】
本発明は、窓等に取付けられる網戸装置に関する。
【背景技術】
【０００２】
網目部材が網戸収納ケース内の回転軸に取付けられ、その先端が移動かまちに取付けられ、常時、閉幕される方向に付勢されてなるロール網戸は、従来から知られている。
このロール網戸の課題の１つに、防虫問題がある。即ち、ロール網戸においては、その構造に由来して網目部材の上下端と窓枠の上下枠の間に隙間が存在するため、この隙間から虫等が室内に入り込み易く、防虫性に劣るという問題があった。
このような防虫問題を解決するための１つの技術的構成が特許文献１に開示されている。
この特許文献１の「ロール網戸の網体吸着構造」では、網目部材の上下端の側面に複数の磁性薄板が適宜間隔にて配設され、一方、窓枠のレール片の側面に磁石帯板が連続して張着されている。そして、前記網目部材を収納する収納ケースの摺動に伴って、ケース開口部からケース外へ引き出された網目部材が前記磁石帯板に吸着自在としてなり、防虫効果が発揮される。
【特許文献１】特開２００２−３２２８８５
【発明の開示】
【発明が解決しようとする課題】
【０００３】
しかし、特許文献１に記載されたロール網戸については、次のようなデメリットを指摘することができる。
【０００４】
まず第１に、防虫効果を得るための構成が複雑で、製造及びメンテナンス等のコストが高くなることが想定される。
第２に、上記磁性薄板は、網目部材に対し複数個を配設しているため、風によって網目部材の端部がバタツクこともなく、仮に外れても再吸着力が生じる効果があるとされているが、逆に風圧に対し網目部材を柔軟にかわすことができず、網目部材を破損させるおそれがある。
第３に、網目部材の開閉と障子の開閉が別々であるため、使い勝手に問題がある。
【０００５】
そこで、本願発明は、上記課題を解決するためになされたもので、網目部材やレールに複雑な構成が要求されることなく防虫効果が発揮され、メンテナンス等も容易に行うことができ、また網目部材に負荷を掛けることがなくその柔軟性を利用し、対風圧対策とし、さらに網目部材の開閉と障子の開閉が連動して使い勝手が良い網戸装置を提供することを目的とする。
【課題を解決するための手段】
【０００６】
上記課題を解決するため、障子かまちに対向する窓枠に着脱可能に配置される網戸収納部と、前記網戸収納部と前記障子かまち間に配置される移動かまちと、前記網戸収納部に収納され、且つ、前記移動かまちに先端側が取付けられた網目部材と、前記網目部材が開幕される場合に、その上下端と窓枠の上下枠間の前記網戸収納部の着脱に必要な隙間を塞ぐことができる虫除け材を備え、
前記虫除け材は、その先端が前記網目部材の上下端と突合せつつ、略鉛直線上に配置されていると共に、前記網目部材の上下端と前記虫除け材の隙間は、虫の侵入が困難な幅であることを特徴とする網戸装置とした（請求項１の発明）。
【０００７】
前記窓枠の上下枠間に形成される隙間は、網戸収納部の取付けや、取外しに必要なもので、虫除け材を設けることにより、メンテナンス等の必要性を満たしつつ、防虫効果を発揮させることができる。
【０００８】
前記網目部材の上下端は、前記虫除け材に対向されるので、防虫効果と共に、移動かまちの走行が円滑に行える。
【０００９】
前記網目部材の上下端は、窓枠の上下レールと窓枠の気密材取付ヒレ間に位置されることを特徴とする網戸装置とした（請求項２の発明）。
【００１０】
前記網目部材の上下端は、窓枠の上下レールと窓枠の気密材取付ヒレ間に位置されるので、防虫効果と共に、室内外側からの強い風圧に対しては網目部材が柔軟に対応し、その上下端が捲れて上下レール等を乗り越えることを防止することができる。よって、網目部材の上下端が上下レール等に引っ掛かった状態でその開閉幕を行うことを避けることができ、網目部材の破損等を防ぐことができる。
【００１１】
開閉幕される前記網目部材の上下端は、室外側からの強い風圧に対して、気密材取付ヒレの室外側側面に接する一方、室内側からの風圧に対して、網目部材の上下端が前記上下レールに接することを特徴とする網戸装置とした（請求項３の発明）。
【００１２】
前記移動かまちは、前記障子かまちの移動に追随可能であることを特徴とする網戸装置とした（請求項４の発明）。
防虫効果、対風圧効果に優れ、且つ使い勝手の良い網戸装置を提供することができる。
【発明の効果】
【００１３】
本発明によれば、虫除け材を上下枠に沿って配置することで、網目部材やレールに複雑な構成が要求されることなく防虫効果が発揮され、メンテナンス等も容易に行うことができ、また風圧に対して網目部材に負荷を掛けることがなくその柔軟性を利用して対風圧対策を施すことができ、さらに網目部材の開閉と障子の開閉が連動して使い勝手が良い網戸装置を提供することができる。
【発明を実施するための最良の形態】
【００１４】
本発明に係る網戸装置の実施形態を図面に基いて説明する。
図１〜図３はそれぞれ網戸装置を取付けたテラスタイプ窓の正面図であって、図１は障子閉鎖状態の正面図、図２は外障子を開放した換気状態の正面図、図３は内障子を開放した換気状態の正面図である。
図４は図１に対応する横断面図、図５は同縦断面図である。
図６は図５に示した上レールの虫除け材の拡大断面図、図７は図５に示した下レールの虫除け材の拡大断面図である。
これらの各図及び後述の各図において、同一の構成は同一の符号を付して重複した説明を省略する。
【００１５】
前記網戸装置１は、図１〜図３に示したようにテラスタイプの窓に設置されているもので、図４に示したように、内外障子２、３の各障子かまち２０、３０に対向する窓枠４の対向面４０に配置される網戸収納部としての網戸収納ケース５、５と、このケース５、５と前記各障子かまち２０、３０間に配置され、且つ、前記各障子かまち２０、３０の移動に追随する移動かまち６、６と、前記網戸収納ケース５、５に収納され、且つ、前記移動かまち６、６に先端側が取付けられた網目部材７と、図５に示したように、前記網目部材７が開幕された場合に、その網目部材７の上下端７０、７１に対向しつつ、窓枠４の上下枠４３、４４間の隙間Ｇを塞ぐことができる虫除け材９を備えている。
なお、前記網戸装置１は、後述の図１０等に示したように、前記各障子かまち２０、３０に対し、前記移動かまち６、６を着脱自在に操作可能な網戸キャッチ８及び受け８Ａを設けて構成されている。
前記内外障子２、３及びこれらに配置されている各網戸装置１は略同一の構成であるので、主に外障子３の網戸装置１の構成例を説明する。
【００１６】
前記網戸収納ケース５は、図５のように、ケースの上端５２が窓枠４の上枠４３に対向するように、下端５３が窓枠４の下枠４４に接する長尺状のものである。詳細図示は省略するが、ケース内に、基端が回転軸に取付けられその先端が前記移動かまち６に取付けられ、且つ閉幕される方向に常時付勢される網目部材７を収納している。かかる網目部材７は、前記移動かまち６をスライドさせることにより前記ケース５の出没口５０１から開幕及び閉幕可能になっている。
【００１７】
前記移動かまち６は、図５のように、その上下端が前記網戸収納ケース５より若干短い長尺状のもので、図４のように網目部材７の先端をプレート７２により折曲げて取付けることができる取付部６００を備え、上下レール４１、４２を走行可能に構成されている。
なお、前記移動かまち６が障子かまち３０に対向する框対向部６０２には、障子かまち３０側の網戸キャッチ８の鎌を受ける受け８Ａ（図１０参照）が複数箇所に設けられている。
そして、上記構成の移動かまち６と網戸収納ケース５とが当接する場合には、移動かまち６が前記網戸収納ケース５の出没口５０１を略塞ぐようになっている。
また、障子かまち３０の網戸キャッチ８と移動かまち６の受け８Ａが係合している場合には、移動かまち６が外障子３の開閉に追随して移動するようになっている。
【００１８】
前記虫除け材９は、網目部材７が開幕された場合に、その網目部材７の上下端７０、７１と窓枠４の上下枠４３、４４間に形成される隙間Ｇ（図５等参照）を塞ぐことができるもので、上下枠４３、４４に沿って配置される長尺状の部材である。
この隙間Ｇは、網戸収納ケース５を窓枠４の対向面４０に取付けたり、取外す場合に必要な間隙である。
前記網目部材７の上端７０と窓枠４の上枠４３間の隙間Ｇを塞ぐ虫除け材９は、図６に図示されているように、上枠４３の取付溝４３０に圧入される圧入部９０と、網目部材７の上端７０に向って下方に対向する下対向部９１からなり、この下対向部９１の先端は形状を安定させるために略円筒状に形成されている。
実施形態の虫除け材９はゴムまたは合成樹脂にて、且つ圧入部９０の硬度が高く、一方下対向部９１の硬度が低い２色成形により形成されているが、硬度が同じものでも防虫効果は変わらない。
【００１９】
前記虫除け材９の下対向部９１の先端と対向する前記網目部材７の上端７０間には隙間ｇが形成されているが、この隙間ｇは前記網目部材７の上端７０が下対向部９１の先端を擦らないようすると共に、前記移動かまち６の走行を円滑に行えるようにするもので、虫等の室内への侵入が困難な幅、例えば約１．５ｍｍとなっている。
【００２０】
前記虫除け材９は、上枠４３に沿って配置されているが、その具体的な位置は、開閉幕される前記網目部材７の上端７０の位置に対応させる。
この実施形態では、前記網目部材７の上端７０が前記上レール４１と前記気密材取付ヒレ４８間で開閉幕させるようしている。これは、室外側からの強い風圧（正圧）に対して、網目部材７の上端７０が前記上レール４１を乗り越えて捲れることを避けるためである。よって網目部材７の上端７０が前記上レール４１に捲れたまま開閉幕されることもなく、網目部材７の保護を図ることができる。一方、室内側からの風圧（負圧）に対して、網目部材７の上端７０は上レール４１の側面に当ることで柔軟に対応させることができる。
このような風圧対策と虫除け材９による防虫対策を両立させるため、虫除け材９も上レール４１と窓枠４の気密材取付ヒレ４８間に、前記網目部材７の上端７０と突合せつつ、略鉛直線上に配置されている。
【００２１】
なお、内障子２用の網目部材７の上端７０は、前記上レール４１の室内側面に近接され、一方、外障子３用の網目部材７の上端７０は、より気密材取付ヒレ４８に近づいて位置されている。
【００２２】
前記網目部材７の下端７１と窓枠４の下枠４４間の隙間Ｇを塞ぐ虫除け材９は、図７に図示されているように、下枠４４の取付溝４３０に圧入される圧入部９０と、網目部材７の下端７１向って上方に対向する上対向部９２からなり、この上対向部９２の先端は略円筒状に形成され、その強度が補完されている。この他の構成及び効果は、前記虫除け材９の構成及び効果と同様である。
【００２３】
また図８及び図９に図示したように、虫除け材９の下対向部９１と上対向部９２をそれぞれ複数本にしてもよい。
この場合、風圧による前記網目部材７の上下端７０、７１の移動変位に、複数本の下対向部９１と上対向部９２が対処できるため、風圧対策と虫除け材９による防虫対策を効果的に両立させることができる。
なお、風圧対策と虫除け材９による防虫対策を効果的に両立させるため、虫除け材９と開閉幕される前記網目部材７の上下端７０、７１の位置を、図面上左右に移動させつつ、複数本の下対向部９１と上対向部９２の内、最も適切な下対向部９１と上対向部９２を選択して調整してもよい。
【００２４】
前記網戸キャッチ８は、図１０及び図１１に図示したように、内外の操作レバー８０、８１と、それらの脚部８００、８１０に固定されたキャッチ本体８２と、この本体８２に連結された連動プレート８３と、この連動プレート８３に固定された鎌８４と、連動プレート８３の昇降をガイドする連動プレートガイド８５からなる。前記連動プレート８３には図示されていない他の鎌が固定され、前記内外の操作レバー８０、８１の昇降動作に連動して上下の鎌８４等が昇降され、前記受け８Ａ、８Ａと鎌８４等との係合操作がされるようになっている。なお、前記網戸キャッチ８の鎌８４及び前記受け８Ａは、前記上下レール４１、４２が形成する平面内に略位置している。
【００２５】
以上のように構成された網戸装置１では、次のように効果を奏する。
１．前記隙間Ｇ（図５参照）が形成されているので、カセット式の網戸収納ケース５の着脱等が容易に行えてメンテナンス等の必要性を満たしつつ、虫除け材９により前記隙間Ｇを塞ぐことができるので、防虫効果が発揮される。
２．開閉幕される前記網目部材７の上下端７０、７１は、前記上下レール４１、４２と前記気密材取付ヒレ４８間に位置されるので、室外側からの強い風圧に対して、網目部材７の上下端７０、７１が前記上下レール４１、４２を乗り越えて捲れることもなく、また気密材取付ヒレ４８の室外側側面に接することとなる。よって網目部材７の上下端７０、７１が前記上下レール４１、４２に捲れたまま開閉幕されることもなく、その保護を図ることができる。
３．一方、室内側からの風圧に対して、網目部材７の上下端７０、７１が前記上下レール４１、４２に接するように柔軟に対応させることができ、その保護を図ることができる。
４．虫除け材９の下対向部９１と上対向部９２が網目部材７の上下端７０、７１に突き合さる位置にあるので、防虫効果及び対風圧対策とすることができる。
５．虫除け材９の下対向部９１と上対向部９２をそれぞれ複数本にした場合には、風圧による前記網目部材７の上下端７０、７１の移動変位に、複数本の上対向部９１と下対向部９１が対処できるため、風圧対策と虫除け材９による防虫対策をより効果的に両立させることができる
６．前記網戸キャッチ８と受け８Ａは、通常は係合状態が維持されているので、使い勝手が良い網戸装置となっている。
【００２６】
上記実施形態は、テラスタイプの窓について使用する網戸装置の構成例を説明したが窓の構成はスライディング形式であればどのようなものでよい。例えば片引きタイプの窓でもよい。その他、窓に限定されるものでもなく、玄関等の建物の開口部にも取付けることができる。
前記障子かまちに対向する窓枠に配置される網戸収納部は、カセット式のように窓枠と別体のものでもよし、窓枠と一体のものでもよい。
前記移動かまちは障子かまちの移動に追随可能であって、移動かまちのみを走行させてもよい。
前記網戸装置は、ロール網戸には限定されず、その他、プリーツ状の網目部材のものでもよい。
【図面の簡単な説明】
【００２７】
【図１】網戸装置を取付けたテラスタイプ窓の正面図、
【図２】外障子を開放した換気状態の正面図、
【図３】内障子を開放した換気状態の正面図、
【図４】図１に対応する横断面図、
【図５】同縦断面図、
【図６】虫除け材の詳細な説明図、
【図７】同詳細な説明図、
【図８】別例の虫除け材の詳細な説明図、
【図９】同詳細な説明図、
【図１０】網戸装置を構成する網戸キャッチとその受けの断面図、
【図１１】同網戸キャッチの要部断面図である。
【符号の説明】
【００２８】
１  網戸装置                            ２、３  内外障子
２０、３０  障子かまち                  ４  窓枠
５  網戸収納ケース                      ６  移動かまち
７  網目部材                            ８  網戸キャッチ
９  虫除け材
４０  対向面
４１、４２  上下レール                  ４３、４４  上下枠
４８  気密材取付ヒレ
４３０  取付溝
５０１  出没口
６００  取付部                          ６０２  框対向部
７０、７１  網目部材の上下端
７２  プレート
８０、８１  内外の操作レバー
８００、８１０  脚部                    ８２  キャッチ本体
８３  連動プレート                      ８４  鎌
８５  連動プレートガイド
９０  圧入部                            ９１  下対向部
９２  上対向部
【図１】
0005270945.tif 000002
【図２】
0005270945.tif 000003
【図３】
0005270945.tif 000004
【図４】
0005270945.tif 000005
【図５】
0005270945.tif 000006
【図６】
0005270945.tif 000007
【図７】
0005270945.tif 000008
【図８】
0005270945.tif 000009
【図９】
0005270945.tif 000010
【図１０】
0005270945.tif 000011
【図１１】
0005270945.tif 000012